(57)【特許請求の範囲】
【請求項１】
突起を設けた首部を有する取り付け対象物に取り付けられ、収納物を収納する収納容器であって、
前記収納容器の側面を形成する側面部と、
前記収納容器の底面を形成する底面部とを備え、
前記底面部は、前記側面部から延長された複数の面部によって構成されており、
前記底面部の各面部は、前記収納容器の内部の方向に向かって傾斜して配置され、互いに嵌め合わされて固定され、
前記底面部のすべての面部が互いに嵌め合わされることによって、前記収納容器の内部に通じる開口部を形成し、
前記底面部の各面部は、押罫を備え、
前記押罫は、前記開口部から放射状に形成され、
前記底面部の各面部は、前記収納物の開口縁部に対応した形状であり、前記収納物の収納時に、傾斜状態で配置されている各面部の一部で一平面を形成する平面形成線を備え、
前記底面部の各面部が前記収納物の開口縁部を載せた状態で、前記一平面から前記収納容器の内部の方向に向かって傾斜し、その傾斜部分が前記収納物の内側に入り込んで前記収納物を収納し、
前記取り付け対象物の首部を前記開口部に挿入すると、前記底面部の各面部の嵌め合いがゆるみ、前記底面部の各面部が前記首部の一部に引っ掛かり、前記取り付け対象物に取り付けられ、
前記底面部の各面部は、各面部同士の対向辺に互い違いに形成された嵌め合い片を備え、
前記嵌め合い片は、周縁部の一部又は全部が丸みを帯び、
前記底面部の各面部の嵌め合い片がある部分の長さとない部分の長さとは、略同寸法であり、
前記収納容器は、紙で形成されており、
前記押罫は、紙目の方向と交差する方向であり、
前記収納物の高さと、この収納容器の高さとが、略同寸法であること、
を特徴とする収納容器。
【請求項２】
請求項１に記載の収納容器において、
前記底面部の各面部の開口部を形成する先端部は、前記取り付け対象物の首部の形状に対応した形状であること、
を特徴とする収納容器。
【請求項３】
請求項１又は請求項２に記載の収納容器において、
前記収納容器は、１枚の板状のシートを組み立てることにより立体形状となる容器であること、
を特徴とする収納容器。
【発明の詳細な説明】
【技術分野】
【０００１】
本発明は、収納物を収納する収納容器に関するものである。
【背景技術】
【０００２】
特許文献１は、ペットボトルの胴体部分に、直接、収納カップを取り付ける販促品収納カップを開示している。
また、特許文献２は、ペットボトルのキャップ部分に取り付けるための装飾体を開示している。
【０００３】
しかし、特許文献１のものは、取り付けやすいが外れやすい、という問題点があり、特許文献２のものは、外れにくいが取り付けにくい、という問題点があった。
また、特許文献１のものは、販促品収納カップの内部に物を入れづらい、という問題があり、特許文献２のものは、内部に入れた装飾物が安定しない、という問題があった。
【特許文献１】特開２００１−１５８４３４号公報
【特許文献２】特開２００６−２９０３９１号公報
【発明の開示】
【発明が解決しようとする課題】
【０００４】
本発明の課題は、内部に収納された収納物を安定させることができる収納容器を提供することである。
【課題を解決するための手段】
【０００５】
本発明は、以下のような解決手段により、前記課題を解決する。なお、理解を容易にするために、本発明の実施形態に対応する符号を付して説明するが、これに限定されるものではない。
第１の発明は、突起を設けた首部を有する取り付け対象物に取り付けられ、収納物を収納する収納容器であって、前記収納容器の側面を形成する側面部と、前記収納容器の底面を形成する底面部とを備え、前記底面部は、前記側面部から延長された複数の面部によって構成されており、前記底面部の各面部は、前記収納容器の内部の方向に向かって傾斜して配置され、互いに嵌め合わされて固定され、前記底面部のすべての面部が互いに嵌め合わされることによって、前記収納容器の内部に通じる開口部を形成し、前記底面部の各面部は、押罫を備え、前記押罫は、前記開口部から放射状に形成され、前記底面部の各面部は、前記収納物の開口縁部に対応した形状であり、前記収納物の収納時に、傾斜状態で配置されている各面部の一部で一平面を形成する平面形成線を備え、前記底面部の各面部が前記収納物の開口縁部を載せた状態で、前記一平面から前記収納容器の内部の方向に向かって傾斜し、その傾斜部分が前記収納物の内側に入り込んで前記収納物を収納し、前記取り付け対象物の首部を前記開口部に挿入すると、前記底面部の各面部の嵌め合いがゆるみ、前記底面部の各面部が前記首部の一部に引っ掛かり、前記取り付け対象物に取り付けられ、前記底面部の各面部は、各面部同士の対向辺に互い違いに形成された嵌め合い片を備え、前記嵌め合い片は、周縁部の一部又は全部が丸みを帯び、前記底面部の各面部の嵌め合い片がある部分の長さとない部分の長さとは、略同寸法であり、前記収納容器は、紙で形成されており、前記押罫は、紙目の方向と交差する方向であり、前記収納物の高さと、この収納容器の高さとが、略同寸法であること、を特徴とする収納容器である。
第２の発明は、第１の発明の収納容器において、前記底面部の各面部の開口部を形成する先端部は、前記取り付け対象物の首部の形状に対応した形状であること、を特徴とする収納容器である。
第３の発明は、第１又は第２の発明の収納容器において、前記収納容器は、１枚の板状のシートを組み立てることにより立体形状となる容器であること、を特徴とする収納容器である。
【発明の効果】
【０００６】
本発明の収納容器によれば、収納物を安定させることができる。
【発明を実施するための最良の形態】
【００１１】
以下、図面等を参照して、本発明の実施形態について、さらに詳しく説明する。
（実施形態）
図１は、本発明による収納容器の実施形態を示す図であって、図１（Ａ）は、計量カップを収納し、ペットボトルに取り付けられた収納容器の斜視図であり、図１（Ｂ）は、収納容器の一部を透視し、一部を断面で示した図である。
本実施形態の収納容器１０は、計量カップ（収納物）２０を収納する容器であって、ペットボトル（取り付け対象物）３０のキャップ部（突起を設けた首部）３１に取り付けられる容器である。
また、収納容器１０は、１枚の板状のシートを組み立てることにより立体形状となる容器である。
【００１２】
図２は、収納容器１０の展開図である。
収納容器１０は、収納容器１０の側面を形成する側面部１１と、収納容器１０の底面を形成する底面部１２と、収納容器１０の上面を形成する上面部１３と、側面部１１に設けられ、展開状態から立体状態に組み立てるための糊しろ１４と、側面部１１に設けられ、収納容器１０の内部を視認可能にする円状の窓部１５と、側面部１１及び上面部１３に設けられ、立体状態で上面部１３をロックするためのつめ部１６及び切り込み１７などとを備える。
【００１３】
底面部１２は、側面部１１から延長された４つの面部１２−１〜１２−４によって構成されている。
底面部１２の４つの面部１２−１〜１２−４は、各面部同士の対向辺に互い違いに形成された嵌め合い片１２ａを備え、嵌め合い片１２ａは、周縁部の全部が丸みを帯びている。
また、底面部１２の４つの面部１２−１〜１２−４の嵌め合い片１２ａがある部分の長さＡとない部分の長さＢとは、略同寸法（１：１）であり、その間（図中、Ａ部分とＢ部分との間）には若干の隙間が設けられている。
【００１４】
また、収納容器１０は、坪量が２００〜２４０ｇ／ｍ２程度の厚紙で形成されており、紙目の方向は、側面部１１の長手方向（図中、矢印Ｃの方向）と一致している。紙目の方向を矢印Ｃの方向と一致させる理由は、紙目の方向が矢印Ｄの方向と一致していると、箱型の立体形状にしたときに、側面部が変形しやすくなるからである。
【００１５】
底面部１２の４つの面部１２−１〜１２−４は、紙目の方向と交差する方向に押罫１２ｂを備え、押罫１２ｂは、後述する開口部１８（図３参照）から（底面部１２の各面部の先端方向の中心（図中、Ｅ部分）から）放射状に形成されている。
【００１６】
底面部１２の４つの面部１２−１〜１２−４は、計量カップ２０の収納時に、傾斜状態で配置されている各面部の一部で一平面を形成する平面形成線１２ｃを備える。平面形成線１２ｃは、円弧状に形成された押罫１２ｃ−１と、押罫１２ｃ−１の外縁側に形成された円弧状のミシン目１２ｃ−２とを備える。
計量カップ２０の収納時には、計量カップ２０のふちが、押罫１２ｃ−１とミシン目１２ｃ−２との間に接触するようになっている。
底面部１２の４つの面部１２−１〜１２−４の先端部Ｆは、ペットボトル３０の首部の断面の丸みと略同様の丸みを帯びている。
【００１７】
図３は、収納容器１０の底面部１２の詳細を示す図である。
図２の展開状態の収納容器１０を組み立てると、底面部１２は、図３のような状態となる。
底面部１２の４つの面部１２−１〜１２−４は、収納容器１０の内部の方向に向かって傾斜して配置され、嵌め合い片１２ａによって互いに嵌め合わされて固定されており、底面部１２の４つの面部１２−１〜１２−４が互いに嵌め合わされることによって、収納容器１０の内部に通じる開口部１８を形成している。
また、このような構成とすることにより、収納容器１０の底面側に収納容器１０の内部の方向に向かって狭くなる空間（四角錐の空間）を形成している。
【００１８】
図４は、収納容器１０の使用方法を説明する図である。
まず、図４（Ａ）に示すような、展開状態の収納容器１０を用意する。ついで、矢印Ｇの方向に収納容器１０を２つ折りし、側面部１１の両端を糊しろ１４を用いて接着し、図４（Ｂ）に示すような状態にする。
さらに、図４（Ｃ）に示すように、側面部１１を箱型にし、底面部１２の４つの面部１２−１〜１２−４を内側に折り返し（矢印Ｈ参照）、各嵌め合い片１２ａを嵌め合わせ、図４（Ｄ）に示すような立体形状にする。
【００１９】
そして、図４（Ｅ）に示すように、計量カップ２０を収納容器１０に収納する（矢印Ｉ参照）。ここで、計量カップ２０の高さと収納容器１０の高さとは、略同寸法に設定されており、計量カップ２０を単純に挿入しただけでは、底面部１２の傾斜により、収納容器１０の天井部分から計量カップ２０の頭が、若干飛び出した状態となる。
このとき、計量カップ２０を収納容器１０の底面方向に押し込むことによって、計量カップ２０のふちが押罫１２ｃ−１とミシン目１２ｃ−２との間を押し、図４（Ｆ）に示すように、底面側では、押し込まれた部分（斜線Ｊ部分）が平面状態になり、計量カップ２０がしっかりと収まる。
【００２０】
最後に、上面部１３のふたを閉め、図４（Ｇ）に示すように、ペットボトル３０のキャップ部３１に、収納容器１０を取り付ける（矢印Ｋ参照）。
ペットボトル３０のキャップ部３１を収納容器１０の開口部１８に挿入すると、底面部１２の４つの面部１２−１〜１２−４の嵌め合いがゆるみ、図４（Ｈ）に示すように、底面部１２の４つの面部１２−１〜１２−４がペットボトル３０のキャップ部３１の一部に引っ掛かり、収納容器１０がペットボトル３０に固定される。
そして、図４（Ｉ）に示すように、ペットボトル３０に収納容器１０を取り付けた状態となり、この状態でダンボールに箱詰めしたり、店頭に陳列したりする。
【００２１】
このように、本実施形態によれば、以下のような効果がある。
（１）底面部１２は、４つの面部１２−１〜１２−４によって構成されており、４つの面部１２−１〜１２−４は、収納容器１０の内部の方向に向かって傾斜して配置され、互いに嵌め合わされて固定されているので、傾斜した４つの面部１２−１〜１２−４が内部の計量カップ２０を支えるようになり、計量カップ２０を安定させることができる。
（２）ペットボトル３０のキャップ部３１を開口部１８に挿入すると、４つの面部１２−１〜１２−４の嵌め合いがゆるみ、４つの面部１２−１〜１２−４がペットボトル３０のキャップ部３１に引っ掛かるので、収納容器１０を単純な動作で簡単に取り付けることができ、しかも、外れにくくすることができる。
また、計量カップ２０のふちが押罫１２ｃ−１とミシン目１２ｃ−２との間を押しているので、４つの面部１２−１〜１２−４が中心に向かって倒れる状態となり、４つの面部１２−１〜１２−４がペットボトル３０を締め付け、ペットボトル３０がより抜けにくくなる。
【００２２】
（３）４つの面部１２−１〜１２−４は、各面部同士の対向辺に互い違いに形成された嵌め合い片１２ａを備えるので、各面部同士を簡単に嵌め合わせることができる。
（４）嵌め合い片１２ａは、周縁部の全部が丸みを帯びているので、嵌め合い片同士を嵌め合わせやすい。
【００２３】
（５）４つの面部１２−１〜１２−４の嵌め合い片１２ａがある部分の長さＡとない部分の長さＢとは、略同寸法であるので、各部分の力のかかり具合が均一になり、嵌め合いが安定する。
（６）４つの面部１２−１〜１２−４は、紙目の方向と交差する方向に押罫１２ｂを備えるので、４つの面部１２−１〜１２−４の強度が向上する。
【００２４】
（７）押罫１２ｂは、開口部１８から放射状に形成されているので、４つの面部１２−１〜１２−４の強度を向上させつつ、４つの面部１２−１〜１２−４にかかる力を分散させることができる。
（８）４つの面部１２−１〜１２−４は、計量カップ２０の収納時に、傾斜状態で配置されている各面部の一部で一平面を形成する平面形成線１２ｃを備えるので、計量カップ２０を安定して収納することができる。
【００２５】
（９）４つの面部１２−１〜１２−４の先端部Ｆは、ペットボトル３０の首部の丸みと略同様の丸みを帯びているので、ペットボトル３０のキャップ部３１に密着することができ、ペットボトル３０のがたつきをなくすことができる。
（１０）収納容器１０は、１枚の板状のシートを組み立てることにより立体形状となる容器であるので、展開状態でシートを製造することができ、製造コストを低減させることができる。
【００２６】
（変形形態）
以上説明した実施形態に限定されることなく、種々の変形や変更が可能であって、それらも本発明の範囲内である。
（１）収納容器１０は、ペットボトル３０に取り付ける例で説明したが、ビール瓶や一升瓶、バットのグリップ部分などに取り付けてもよい。
【００２７】
（４）収納物は、計量カップ２０の例で説明したが、人形などのキャンペーン品や、販売促進品などであってもよい。
（５）開口部１８は、ある程度の大きさをもって開口している例で説明したが、ほとんど開口していない状態であってもよい。
（６）嵌め合い片１２ａは、周縁部の全部が丸みを帯びている例で説明したが、周縁部の一部のみが丸みを帯びていてもよい。
【００２８】
（７）４つの面部１２−１〜１２−４の先端部Ｆは、丸みを帯びている例で説明したが、取り付け対象物が角ばったものであれば、直線にしてもよい。
（８）図５は、収納容器の変形形態を示す図である。
収納容器１０は、立方体の形状の例で説明したが、円柱状や、三角柱、五角柱などの多角柱の形状であってもよい。この場合、偶数の角柱であれば、上述した実施形態と同様の構成でよいが、奇数の角柱であれば、図５に示すように、収納容器の展開状態で、各面部の一辺の上側と他辺の下側とに嵌め合い片１２ａを形成すればよい。
【図面の簡単な説明】
【００２９】
【図１】本発明による収納容器の実施形態を示す図である。
【図２】収納容器１０の展開図である。
【図３】収納容器１０の底面部１２の詳細を示す図である。
【図４】収納容器１０の使用方法を説明する図である。
【図５】収納容器の変形形態を示す図である。
【符号の説明】
【００３０】
１０  収納容器
１１  側面部
１２  底面部
１２−１〜１２−４  面部
１２ａ  嵌め合い片
１２ｂ  押罫
１２ｃ  平面形成線
１２ｃ−１  押罫
１２ｃ−２  ミシン目
１３  上面部
１４  糊しろ
１５  窓部
１６  つめ部
１７  切り込み
１８  開口部
２０  計量カップ（収納物）
３０  ペットボトル（取り付け対象物）
３１  キャップ部（首部）
【図１】
0005380813.tif 000002
【図２】
0005380813.tif 000003
【図３】
0005380813.tif 000004
【図４】
0005380813.tif 000005
【図５】
0005380813.tif 000006